(57)【要約】【課題】  照光角度を制御してもグレア光が発生することのない構成とされた埋設形照明器具を提供する。【解決手段】  本発明にかかる埋設形照明器具１は、光源ランプ２２及び反射板２３を具備して埋設された光源体２４と、埋設表面ＧＬと面一に配置されて前記光源体２４から照射された光Ｌ１が透過する透光パネル２とを備えており、前記光源体２４から照射された光Ｌ１の反射を防止する反射防止手段５を前記透光パネル２に設けていることを特徴とする。【選択図】図１
2005026165.tif 000002
【特許請求の範囲】
【請求項１】
光源ランプ及び反射板を具備して埋設された光源体と、埋設表面と面一に配置されて前記光源体から照射された光が透過する透光パネルとを備えてなる埋設形照明器具であって、前記光源体から照射された光の反射を防止する反射防止手段を前記透光パネルに設けていることを特徴とする埋設形照明器具。
【請求項２】
前記反射防止手段は前記透光パネルの内表面に施された凹凸面加工であることを特徴とする請求項１に記載の埋設形照明器具。
【請求項３】
前記透光パネルは内外２重構造を有しており、前記反射防止手段は前記透光パネルを構成する内側パネルの内表面に施された凹凸面加工であることを特徴とする請求項１に記載の埋設形照明器具。
【請求項４】
前記透光パネルは内外２重構造を有しており、前記反射防止手段は前記透光パネルを構成する外側パネルの内表面または内側パネルの外表面の少なくとも一方に施された凹凸面加工であることを特徴とする請求項１に記載の埋設形照明器具。
【請求項５】
前記反射防止手段は前記透光パネルに施されたコーティング加工であることを特徴とする請求項１に記載の埋設形照明器具。
【請求項６】
前記透光パネルは内外２重構造を有しており、前記反射防止手段は前記透光パネルを構成する外側パネルまたは内側パネルの少なくとも一方に施されたコーティング加工であることを特徴とする請求項１に記載の埋設形照明器具。
【発明の詳細な説明】
【技術分野】
【０００１】
本発明は埋設形照明器具に係り、特には、グレア光の発生を無くすための技術に関する。
【背景技術】
【０００２】
照明器具のうちには、広場や公園、噴水池等の屋外で地中に埋設されるもの、あるいは、建物内の床面や壁面等に埋設して使用されるものがあり、このような埋設形照明器具の一例としては、図２で簡略化して示すようなものがある。すなわち、この埋設形照明器具２１は、光源ランプ２２及び反射板２３を具備してなる光源体２４と、内外２重構造とされて地中や床面等に埋設される外筒２５及び内筒２６とを備えており、光源体２４は内筒２６内に収納されている。
【０００３】
そして、ここでの光源体２４は、光源ランプ２２から照射される光（照射光）Ｌ１の外部に対する光照射方向（照光角度）を制御するため、つまり、照明対象や照明条件等の必要に応じて照光角度を制御するため、揺動動作が可能な構成とされている。なお、図中の符号２７はグレアキャップであり、このグレアキャップ２７は光源ランプ２２の先端部を覆って取り付けられている。
【０００４】
また、埋設形照明器具２１は、埋設表面ＧＬと面一に配置されたうえで光源体２４からの照射光Ｌ１が透過する透光パネル２８を備えており、この透光パネル２８は、強度の高い外側パネル２９と、光透過性に優れた内側パネル３０とが一体化された内外２重構造を有している。そして、透光パネル２８によっては、外筒２５及び内筒２６の開口面が閉塞されている。
【０００５】
さらに、光源体２４と内側パネル３０との間には湾曲した形状の補助反射板３１が配置されており、この補助反射板３１によっては、光源ランプ２２からの照射光Ｌ１がより効率的に外部へ照射されるようになっている。なお、埋設形照明器具の他の具体例としては、特許文献１で示すようなものがある。
【特許文献１】特開２００３−９２００３号公報
【発明の開示】
【発明が解決しようとする課題】
【０００６】
従来の形態にかかる埋設形照明器具２１では、光源体２４の光照射方向における前方側位置に透光パネル２８が配置され、光源体２４からの照射光Ｌ１が透光パネル２８を透過して外部を照明することになっている。ところが、このような構成である場合には、光源体２４を揺動動作させて照光角度を制御すると、透光パネル２８でもって照射光Ｌ１の一部が反射されることがある。
【０００７】
そして、透光パネル２８による反射光Ｌ２が補助反射板３１、あるいは、反射板２３やグレアキャップ２７で反射されることがあり、このような反射が生じると、図２中に付記しているように、反射光Ｌ２が透光パネル２８を透過したグレア光として漏れ出してくる。従って、従来構成とされた埋設形照明器具２１である限り、不快で光公害の原因ともなるグレア光を無くしてしまうことはできないのが実状である。
【０００８】
本発明はこのような不都合に鑑みて創案されたものであり、照光角度を制御してもグレア光が発生することのない埋設形照明器具の提供を目的としている。
【課題を解決するための手段】
【０００９】
請求項１に記載の埋設形照明器具は、光源ランプ及び反射板を具備して埋設された光源体と、埋設表面と面一に配置されて前記光源体から照射された光が透過する透光パネルとを備えてなるものであり、前記光源体から照射された光の反射を防止する反射防止手段を前記透光パネルに設けていることを特徴とする。
【００１０】
請求項２に記載の埋設形照明器具は請求項１に記載したものであり、前記反射防止手段は前記透光パネルの内表面に施された凹凸面加工であることを特徴としている。
【００１１】
請求項３に記載の埋設形照明器具は請求項１に記載したものであって、前記透光パネルは内外２重構造を有しており、前記反射防止手段は前記透光パネルを構成する内側パネルの内表面に施された凹凸面加工であることを特徴としている。
【００１２】
請求項４に記載の埋設形照明器具は請求項１に記載したものであって、前記透光パネルは内外２重構造を有しており、前記反射防止手段は前記透光パネルを構成する外側パネルの内表面または内側パネルの外表面の少なくとも一方に施された凹凸面加工であることを特徴としている。
【００１３】
請求項５に記載の埋設形照明器具は請求項１に記載したものであり、前記反射防止手段は前記透光パネルに施されたコーティング加工であることを特徴としている。
【００１４】
請求項６に記載の埋設形照明器具は請求項１に記載したものであって、前記透光パネルは内外２重構造を有しており、前記反射防止手段は前記透光パネルを構成する外側パネルまたは内側パネルの少なくとも一方に施されたコーティング加工であることを特徴としている。
【発明の効果】
【００１５】
本発明にかかる埋設形照明器具では、光源体の光照射方向における前方側位置に配置された透光パネルに対し、照射光の反射を防止する反射防止手段を設けている。そこで、光源体を揺動動作させて照光角度を制御したとしても、透光パネルでもって照射光が反射されることは起こらず、透光パネルによって照射光が反射されないため、反射光がグレア光となって外部に漏れ出してくることも無くなるという効果が得られる。
【発明を実施するための最良の形態】
【００１６】
図１は本実施の形態にかかる埋設形照明器具の構成を簡略化して示す説明図であり、図中の符号１は埋設形照明器具である。なお、埋設形照明器具の全体構成は従来の形態と基本的に異ならないので、図１において図２と互いに同一となる部品、部分には同一符号を付している。
【００１７】
本実施の形態にかかる埋設形照明器具１は、高輝度（ＨＩＤ）ランプのような光源ランプ２２と、この光源ランプ２２を取り囲んで湾曲形状を有する反射板２３とを具備した光源体２４を備えている。そして、この光源体２４はステンレス鋼製等である内筒２６内に揺動可能な状態として収納され、かつ、この内筒２６と一体化されて内外２重構造となるステンレス鋼製等の外筒２５を介して地中や床面等に埋設されている。
【００１８】
なお、ここでの光源体２４が揺動可能な状態とされているのは、従来の形態でも説明した通り、光源ランプ２２から照射される光（照射光）Ｌ１の照光角度を必要に応じて制御することを可能とするためである。また、図中の符号２７はグレアキャップを示しており、このグレアキャップ２７は光源ランプ２２の先端部を覆っている。
【００１９】
さらに、埋設形照明器具１は、埋設表面ＧＬと面一に配置されて光源体２４からの照射光Ｌ１が透過する透光パネル２を備えており、外筒２５及び内筒２６の開口面を閉塞した透光パネル２は、外筒２５及び内筒２６の開口面縁部に対して固着されている。そして、この透光パネル２は、外力が作用しても損傷しがたい程度に高強度の外側パネル３と、光透過性に優れた内側パネル４とが一体化された内外２重構造を有している。なお、外側パネル３及び内側パネル４の各々は透明ガラスから作製されるのが通常であるが、着色ガラスや合成樹脂等から作製されたものであってもよい。
【００２０】
また、この透光パネル２を構成する内側パネル４の内表面に対しては、照射光Ｌ１の反射を防止するための反射防止手段として機能する凹凸面加工が施されている。すなわち、図１中で拡大して付記するように、内側パネル４の内表面は微細な凹凸面５とされており、この内側パネル４の内表面が凹凸面５である結果、光源体２４から照射されて透光パネル２を透過する照射光Ｌ１は透光パネル２でもって反射されないこととなる。
【００２１】
従って、必要に応じて光源体２４を揺動動作させて照光角度を制御することを行っても、透光パネル２で照射光Ｌ１の一部が反射されることは起こらない。また、透光パネル２によって照射光Ｌ１が反射されないため、従来の形態にかかる埋設形照明器具２１で生じていたような事態、つまり、透光パネル２による反射光Ｌ２が補助反射板３１、あるいは、反射板２３やグレアキャップ２７で反射される事態が発生することは起こらず、その結果として反射光Ｌ２が透光パネル２を透過したグレア光として漏れ出してくることも無くなる。
【００２２】
ところで、本実施の形態にあっては、内側パネル４の内表面に施した凹凸面加工が反射防止手段であるとしているが、反射防止手段が内側パネル４の内表面に施した凹凸面加工のみに限定されるわけではなく、以下のような構成であってもよい。すなわち、図示省略しているが、透光パネル２を構成する外側パネル３の内表面に凹凸面加工を施したり、あるいは、内側パネル４の外表面に凹凸面加工を施したりしてもよく、これらの構成を採用した場合も、透光パネル２で照射光Ｌ１の一部が反射されることは起こらない。
【００２３】
さらに、図示省略しているが、外側パネル３及び内側パネル４に凹凸面加工を施すのではなく、外側パネル３とは屈折率の相違する反射防止用の樹脂フィルムを外側パネル３の内表面に貼り付けたり、内側パネル４とは屈折率が異なる樹脂フィルムを内側パネル４の内表面または外表面に貼り付けたりするコーティング加工を施してもよい。また、この際における外側パネル３及び内側パネル４のいずれか一方が、反射防止用の樹脂フィルムとガラス層とを積層して構成されたものであってもよいことは勿論である。
【００２４】
さらにまた、本実施の形態にかかる埋設形照明器具１では、透光パネル２が外側パネル３及び内側パネル４からなる内外２重構造を有するとしているが、このような構成に限られず、透光パネル２が単一物であってもよい。そして、このような場合には、図示省略しているが、照射光Ｌ１の反射を防止する反射防止手段として機能する凹凸面加工を透光パネル２の内表面に施したり、屈折率の相違する樹脂フィルムを透光パネル２に貼り付けてなるコーティング加工を施したりすることが行われる。
【図面の簡単な説明】
【００２５】
【図１】本実施の形態にかかる埋設形照明器具の構成を簡略化して示す説明図である。
【図２】従来の形態にかかる埋設形照明器具の構成を簡略化して示す説明図である。
【符号の説明】
【００２６】
１    埋設形照明器具
２    透光パネル
３    外側パネル
４    内側パネル
５    凹凸面（反射防止手段）
２２    光源ランプ
２３    反射板
２４    光源体
Ｌ１    照射光
ＧＬ    埋設表面
【図１】
2005026165.tif 000003
【図２】
2005026165.tif 000004